(57)【要約】【課題】従来の冊子または書籍の見方とは全く異なる方法によって見るものであり、その内容に読者の強い興味を引くこと。【解決手段】互いに関連のある複数の画像がそれぞれ別個に分けて描かれた複数のシートＳＴＡ，ＳＴＢ，ＳＴＣを有し、複数のシートが互いに重ねられて一体化されており、上位に重ねられたシートを破ることによってその下位に重ねられたシートの画像ＦＧＡ，Ｂが現れるように構成される。【選択図】      図５
2005238587.tif 000002
【特許請求の範囲】
【請求項１】
表面に第１の画像が描かれた基台シートと、
前記基台シートの表面の少なくとも前記第１の画像が描かれた部分を見えないように覆っており、破ったときに前記第１の画像が現れるように、前記基台シートと一体化され、表面に第２の画像が描かれた中間シートと、
前記中間シートの表面の少なくとも前記第２の画像が描かれた部分を見えないように覆っており、破ったときに前記第２の画像が現れるように、前記中間シートと一体化され、表面に第３の画像が描かれた表面シートと、
を有してなることを特徴とする冊子。
【請求項２】
互いに関連のある複数の画像がそれぞれ別個に分けて描かれた複数のシートを有し、
前記複数のシートが互いに重ねられて一体化されており、
上位に重ねられたシートを破ることによってその下位に重ねられたシートの画像が現れるように構成された、
ことを特徴とする冊子。
【請求項３】
最上位に重ねられたシートに、
最初に破るべき望ましい位置を指し示す指示画像が描かれてなる、
請求項２記載の冊子。
【請求項４】
請求項２または３記載の冊子が用いられて装丁されており、
それぞれの冊子の綴じ側には、刃物を用いることなく当該冊子を取り外すことが可能なように切れ目が予め設けられてなる、
ことを特徴とする書籍。
【請求項５】
請求項４記載の書籍であって、
表紙および裏表紙を開くことができないように綴じられており、
刃物を用いることなく前記表紙または裏表紙を開くことが可能なように切れ目が予め設けられてなる、
ことを特徴とする書籍。
【発明の詳細な説明】
【技術分野】
【０００１】
本発明は、読者が手で破って見る冊子および書籍に関する。
【背景技術】
【０００２】
一般に、書籍は、多数枚のシート（紙）が折丁されて丁合いが構成され、これに見返し、表表紙、裏表紙、背などが貼り合わされて装丁されている。各シートによってそれぞれの頁が構成されており、読者は任意の頁を開いて読みまたは見ることができる。
【０００３】
また、読者の興味を引くために、通常のシートとは異なる形状のシートまたは冊子を、書籍の中に綴じ込み頁として設けることがある。例えば、頁よりも大きな台紙を複雑に折り畳んだ冊子を綴じ込んだ書籍（特許文献１）、頁を開いたときに頁の切れ線部分や折れ線部分からポップアップして立体絵本となる書籍（特許文献２）などが提案され、市販されている。
【特許文献１】特開２００１−３０６５９
【特許文献２】特開２００３−７１１５１
【発明の開示】
【発明が解決しようとする課題】
【０００４】
上に述べたように、従来の書籍は、頁を捲ることによって、そこに書かれた文字を読みまたはそこに現出された内容を見ることができる。つまり、従来の書籍は、内容を読者が容易に見ることができるように構成されており、書籍に対する興味の対象はそれぞれの頁に書かれた内容またはそれぞれの頁において現出される内容それ自体であった。
【０００５】
なお、頁が袋とじになった書籍もあるが、この場合においても、袋とじになった部分を鋏で切り開いた後は通常の頁と同様に見ることができる。
【０００６】
本発明は、従来の冊子または書籍の見方とは全く異なる方法によって見るものであり、その内容に読者の強い興味を引くことのできる冊子および書籍を提供することが課題である。
【課題を解決するための手段】
【０００７】
本発明に係る冊子は、表面に第１の画像が描かれた基台シートと、前記基台シートの表面の少なくとも前記第１の画像が描かれた部分を見えないように覆っており、破ったときに前記第１の画像が現れるように、前記基台シートと一体化され、表面に第２の画像が描かれた中間シートと、前記中間シートの表面の少なくとも前記第２の画像が描かれた部分を見えないように覆っており、破ったときに前記第２の画像が現れるように、前記中間シートと一体化され、表面に第３の画像が描かれた表面シートとを有してなる。
【０００８】
また、互いに関連のある複数の画像がそれぞれ別個に分けて描かれた複数のシートを有し、前記複数のシートが互いに重ねられて一体化されており、上位に重ねられたシートを破ることによってその下位に重ねられたシートの画像が現れるように構成される。
【０００９】
好ましくは、最上位に重ねられたシートに、最初に破るべき望ましい位置を指し示す指示画像が描かれてなる。
【００１０】
また、上に述べた冊子が用いられて装丁されており、それぞれの冊子の綴じ側には、刃物を用いることなく当該冊子を取り外すことが可能なように切れ目が予め設けられてなる。
【００１１】
また、表紙および裏表紙を開くことができないように綴じられており、刃物を用いることなく前記表紙または裏表紙を開くことが可能なように切れ目が予め設けられる。
【００１２】
なお、基台シートまたは中間シートに、それぞれの上に設けられた中間シートまたは表面シートを破る以前から見えるような画像が描かれていてもよい。画像には文字または記号なども含まれる。
【発明の効果】
【００１３】
本発明によると、従来の冊子または書籍の見方とは全く異なる方法によって見るものであり、その内容に読者の強い興味を引くことができる。
【発明を実施するための最良の形態】
【００１４】
図１は本発明の一実施形態に係るやぶる本１の斜視図、図２はやぶる本１の上部を拡大して示す斜視図、図３はやぶる本１の表紙を捲って最初の頁を開いた状態を示す図、図４はやぶる本１の中間の１つの頁であるシートＳＴ３を開いた状態を示す図、図５はシートＳＴ３を破って見る過程を示す図、図６はシートＳＴ３の一部を拡大して示す側面図、図７はシートＳＴ３の製作過程を示す図、図８は他の頁であるシートＳＴ７の製作過程を示す図である。
【００１５】
図１において、やぶる本１は、例えばＡ４程度のサイズの多数枚のシートＳＴが折丁されて丁合いＴＡが構成され、これに、表表紙１１、裏表紙１２、背１３などが貼り合わされて装丁されている。表表紙１１、裏表紙１２、および背１３は、１枚の紙によって丁合いＴＡの周りをぐるりと一周した後、その端部を重ねて貼り合わせて構成されている。
【００１６】
すなわち、丁合いＴＡの縦寸法つまりシートＳＴの縦寸法よりも若干長い縦寸法で、丁合いＴＡの横寸法と厚さ寸法とを加えて２倍した寸法よりも重ね合わせ部２１の長さだけ長い横寸法の紙を用い、丁合いＴＡを横方向に一周して緩く巻いた後、重ね合わせ部２１においてその一部である貼り合わせ部分ＰＬが糊または接着剤によって貼り合わされている。
【００１７】
表表紙１１には、書籍名３１として「やぶる本」と表示されており、右方において縦方向に２本の線３２，３３が破線として表示されている。その上方部分に、横方向に長い長方形を示す線３４が破線として表示されており、その長方形の中に、やぶるマーク３５および矢印３６が表示されている。なお、これらの表示は、紙に印刷することによって行われる。写真焼付けによって表示するようにしてもよい。そして、線３２，３３については、刃物を用いることなく手で引っ張ることによって切り離しが可能なように、線３２，３３に沿って切れ目（またはミシン目）が設けられている。線３４についても、その右端の部分を残して、切れ目（またはミシン目）が設けられている。
【００１８】
そこで、読者は、線３４の左端から指を押し込んで、その部分を矢印３６の方向に引っ張ることによって、表表紙１１を線３４に沿って破ることができる。線３４に沿って破った部分は、右端において分離することなく繋がったままの状態にしておいてよい。そうしておいて、次に、線３２，３３で囲まれた縦に長い長方形の部分３７を、その端部から指で引っ張って破ることにより、表表紙１１と裏表紙１２とを分離する。これによって、やぶる本１を開いて中を見ることが可能となる。
【００１９】
表表紙１１を開くと、図３に示すように、最初のシートＳＴ０が現れる。シートＳＴ０は、注意書きの頁であり、そこには、このやぶる本１は好きなように自由に破ってよいこと、破りにくいときにはやぶるマーク３５を探すことによってうまく破るきっかけがつかめること、各シートＳＴを左端から破って分離できることなどが表示されている。
【００２０】
さらに頁を捲ると、例えば図４に示すように、シートＳＴ３が現れる。シートＳＴ３は、やぶる本１の中身の１つの頁であり、これを破って見て楽しめるようになっている。
【００２１】
すなわち、シートＳＴ３は、３枚のシートＳＴＡ、ＳＴＢ、ＳＴＣから構成されており（図５〜図７を参照）、図５（Ａ）に示すように、最初は１番上の表面シートＳＴＣの画像ＦＧＣのみが表示されている。シートＳＴ３の表面シートＳＴＣには、一匹の牛が立って静止している状態を横から見た姿が描かれている。表面シートＳＴＣの下方部には、ヒント３８として、やぶるマーク３５のところから破ればよい旨が表示されている。
【００２２】
この表面シートＳＴＣを読者が破ると、図５（Ｂ）に示すように、２番目の中間シートＳＴＢの画像ＦＧＢが現れる。中間シートＳＴＢの画像ＦＧＢは、図７（Ｂ）にも示すように、牛の肉を各部位に区分した状態を図５（Ａ）の画像ＦＧＣに対応して描いたものである。
【００２３】
さらに、この中間シートＳＴＢを読者が破ると、図５（Ｃ）に示すように、３番目の基台シートＳＴＡの画像ＦＧＡが現れる。基台シートＳＴＡの画像ＦＧＡは、図７（Ａ）にも示すように、図５（Ａ）（Ｂ）の画像ＦＧＣ，ＦＧＢに対応した牛の骨格の状態を対応した位置に描いたものである。
【００２４】
このように、頁を捲ってシートＳＴ３を開いたときは、１番目の表面シートＳＴＣが現れ、そこに普通の牛の画像ＦＧＣが見えるが、読者が表面シートＳＴＣを破ると、中間シートＳＴＢに描かれた牛の肉の画像ＦＧＢが現れ、さらに読者が中間シートＳＴＢを破ると、その牛の骨の画像ＦＧＡが現れる。
【００２５】
読者は、破った後に何が現れるのかを知らない状態で破るのであるから、破る前にはその下から何が出てくるのか興味深々であり、わくわくどきどきした状態で破ることになる。また、頁を捲るとか鋏で綺麗に切るとか言った日常的に行われる行為ではなく、破るという、日常的には禁止されることの多い行為を行うことによって次の画像ＦＧを見ることとなるので、その好奇心が一層刺激されるとともに、破って見た後には、爽快感、満足感、達成感などを得ることができる。
【００２６】
このように、やぶる本１は、従来の冊子または書籍の見方とは全く異なる刺激的な方法によって見るものであり、その内容に読者の強い興味を引くことができる。
【００２７】
次に、シートＳＴの構造および製作方法についてさらに詳しく説明する。
【００２８】
シートＳＴ３の製作に当たっては、図７（Ａ）に示すように、基台シートＳＴＡを準備する。基台シートＳＴＡには、少々厚手の紙、例えばケント紙などが用いられる。基台シートＳＴＡには、上に述べた牛の骨の画像ＦＧＡが描かれている。
【００２９】
次に、図７（Ｂ）に示すように、基台シートＳＴＡの上に中間シートＳＴＢを載せ、周辺部ＳＨを全周にわたって糊または接着剤によって貼り合わせて一体化する。つまり、画像ＦＧＡ，ＦＧＢの描かれている部分には糊が付けられておらず、基台シートＳＴＡを傷つけずに中間シートＳＴＢを破って画像ＦＧＡを表示させることができるようになっている。
【００３０】
そして、図７（Ｃ）に示すように、中間シートＳＴＢの上に表面シートＳＴＣを載せ、周辺部ＳＨを全周にわたってのり付けして一体化する。つまり、画像ＦＧＢ，ＦＧＣの描かれている部分には糊が付けられておらず、中間シートＳＴＢを傷つけずに表面シートＳＴＣを破って画像ＦＧＢを表示させることができるようになっている。
【００３１】
なお、これらのシートＳＴＡ〜ＳＴＣを全て同じ大きさとしたが、大きさを変えてもよい。例えば、基台シートＳＴＡの一部のみを覆うように、基台シートＳＴＡよりも小さい中間シートＳＴＢを基台シートＳＴＡに貼り付けてもよい。また、中間シートＳＴＢの一部のみを覆うように、中間シートＳＴＢよりも小さい表面シートＳＴＣを中間シートＳＴＢに貼りつけてもよい。中間シートＳＴＢまたは表面シートＳＴＣをそれぞれ複数枚用い、複数の箇所において貼り付けてもよい。また、これとは逆に、基台シートＳＴＡよりも中間シートＳＴＢを大きくし、基台シートＳＴＡの周囲において中間シートＳＴＢを裏側に折り返すようにして貼り付けてもよい。表面シートＳＴＣについても同様である。これらの紙の材質、厚さ、色などは、画像ＦＧの内容などに応じて種々のものとすることができる。例えば、不透明の紙の他、透明または半透明の紙、または合成樹脂製のフィルムなどを用いてもよい。
【００３２】
次に、シートＳＴ３とは異なった画像ＦＧの描かれたシートＳＴ８について、その製作過程を説明する。
【００３３】
図８（Ａ）〜（Ｃ）に示すように、シートＳＴ７においては、表面シートＳＴＣに複数人の漫画キャラクターの画像ＦＧＣが描かれており、下方部には、ヒント３８として、５人別々に破ればよい旨が表示されている。中間シートＳＴＢには、画像ＦＧＣの漫画キャラクターの年老いた姿の画像ＦＧＢが描かれている。そして、基台シートＳＴＡにはそれらの墓の画像ＦＧＡが描かれている。
【００３４】
シートＳＴ７においても、シートＳＴ３の場合と同様な工程によって製作される。すなわち、基台シートＳＴＡに中間シートＳＴＢを載せ、周辺部ＳＨを全周にわたってのり付けして一体化する。そして、中間シートＳＴＢの上に表面シートＳＴＣを載せ、周辺部ＳＨを全周にわたってのり付けして一体化する。
【００３５】
このシートＳＴ７の場合には、頁を捲った読者は、最初に表面シートＳＴＣに描かれた漫画キャラクターがを見ることとなり、表面シートＳＴＣを破ることによって、それぞれの漫画キャラクターの年老いた姿を見ることとなる。さらに、中間シートＳＴＢを破ることによって、それぞれの漫画キャラクターが滅びた後の墓を見ることになる。このように、シートＳＴ７は、年月の流れに沿ったそれぞれの漫画キャラクターの物語を想像させる。
【００３６】
他のシートＳＴについても、構造はシートＳＴ３，７と同じであるが、それぞれに描かれている画像ＦＧの内容、およびそれらの画像ＦＧから想像される物語は異なる。そのような画像ＦＧとして、例えば次のような画像ＦＧが考えられる。
（１）一匹の羊が立って静止している状態を横から見た姿、羊の毛を取り去った姿、羊の骨格。
（２）制服を着た人の姿、制服を脱いだ下着の人の姿、人の骨格。
（３）制服を着た人の姿、制服を脱いだ下着の人の姿、人が実はサイボーグであったというそのサイボーグの構造。
（４）服を着た強そうな力士の姿、服を脱いで廻しを付けた強そうな力士の姿、年老いてやせ細って廻しを付けた痛々しい力士の姿。
（５）勢いのある大きな鯉の姿、人魚の姿。
（６）バスケットボールの試合で２人がボールの奪い合いをしている姿、警官が強盗と戦っている姿。
【００３７】
また、教育的な見地から、世界の名画例えばルネッサンス絵画を題材にして、次のような画像ＦＧを表すことができる。
（７）ボッティチェリの「ビーナスの誕生」を題材として、裸のビーナスが着物を着ていく。また、ゴヤの「裸のマハ」と「着衣のマハ」、ダビンチの「モナリザ」と裸のモナリザなど。
【００３８】
このように、それぞれのシートＳＴには種々の関連のある内容、物語、またはパロディの画像ＦＧを描くことができる。ユーモアやブラックユーモアなどを表した４駒マンガ風に構成して４枚のシートＳＴＡ〜Ｄに画像ＦＧを描いてもよい。画像ＦＧの中には、セリフや説明のための語句または文章を入れてもよい。紙、合成樹脂、または金属などで製作された別の物品または部品を、シートＳＴに貼り付け、または基台シートＳＴＡと中間シートＳＴＢの間または中間シートＳＴＢと表面シートＳＴＣとの間に入れておくことによって、立体感、実在感、意外感を強めてもよい。例えば、スプリング特性を持った物品をシートＳＴの間に入れておき、シートＳＴを破ったときにその物品が飛び出してくるようにしてもよい。
【００３９】
また、表面シートには日本語によって物語の文章を表示し、中間シートＳＴＢには英語によって物語の文章を表示し、基台シートＳＴＡには中国語によって物語の文章を表示するというように、それぞれ言語を変えて表示してもよい。こうすると、語学学習に役立てることができる。
【００４０】
上に述べたシートＳＴでは、基台シートＳＴＡ、中間シートＳＴＢ、表面シートＳＴＣの３枚のシートによって１つのシートＳＴを構成したが、２枚のシートまたは４枚以上のシートを用いて１つのシートＳＴを構成してもよい。また、シートＳＴの裏面に適当な画像を描いておくか、説明分やストーリなどを表示しておいてもよい。また、裏面においても、表面と同様に破ることによって見えるように構成しておいてもよい。つまり、表裏両側から破って見ることができるようにしておいてもよい。
【００４１】
上の実施形態においては、複数のシートＳＴによって丁合いＴＡとし、これをやぶる本１という書籍に構成したが、１つのシートＳＴを単独で冊子として用いてもよい。また、１つまたは複数のシートＳＴからなる冊子を、通常の書籍の付録とし、またはその中に綴じ込んでもよい。
【００４２】
また、シートＳＴを、葉書サイズのグリーティングカードのようなカード形式とし、そのまま郵便で他人に送ったり封筒に入れて送ったりできるようにしてもよい。その場合には、シートＳＴを購入した人が破るのではなく、購入した人から送られた人が破って見ることになる。
【００４３】
シートＳＴに描かれる画像ＦＧは、イラストレーションまたはＣＧ（コンピュータグラフィックス）などによって作成してもよく、写真を用いてもよい。
【００４４】
上に述べたシートＳＴは、映画、演劇、コンサート、その他の各種イベントのパンフレットとして、またそれらのプロモーションや宣伝広告のために用いることもできる。
【００４５】
さらに、シートＳＴを包装するパッケージについても、そのパッケージを破ってシートＳＴを取り出すようにすればよい。
【００４６】
その他、やぶる本１またはシートＳＴの全体または各部の構造、形状、寸法、個数、材質、画像の内容などは、本発明の趣旨に沿って適宜変更することができる。
【産業上の利用可能性】
【００４７】
本発明は、種々の内容または分野の冊子または書籍として利用することができる。
【図面の簡単な説明】
【００４８】
【図１】本発明の一実施形態に係るやぶる本の斜視図である。
【図２】やぶる本の上部を拡大して示す斜視図である。
【図３】やぶる本の表紙を捲って最初の頁を開いた状態を示す図である。
【図４】やぶる本の中間の１つの頁を開いた状態を示す図である。
【図５】シートを破って見る過程を示す図である。
【図６】シートの一部を拡大して示す側面図である。
【図７】シートの製作過程を示す図である。
【図８】他の頁であるシートの製作過程を示す図である。
【符号の説明】
【００４９】
１  やぶる本（書籍）
１１  表表紙
１２  裏表紙
３２，３３，３４  線（切れ目）
３５  やぶるマーク（指示画像）
ＳＴ，ＳＴ３，ＳＴ７  シート（冊子）
ＳＴＡ  基台シート（シート）
ＳＴＢ  中間シート（シート）
ＳＴＣ  表面シート（シート）
ＦＧＡ  画像（第１の画像）
ＦＧＢ  画像（第２の画像）
ＦＧＣ  画像（第３の画像）
【図１】
2005238587.tif 000003
【図２】
2005238587.tif 000004
【図３】
2005238587.tif 000005
【図４】
2005238587.tif 000006
【図５】
2005238587.tif 000007
【図６】
2005238587.tif 000008
【図７】
2005238587.tif 000009
【図８】
2005238587.tif 000010
【手続補正書】
【提出日】平成16年8月18日(2004.8.18)
【手続補正１】
【補正対象書類名】明細書
【補正対象項目名】００３５
【補正方法】変更
【補正の内容】
【００３５】
このシートＳＴ７の場合には、頁を捲った読者は、最初に表面シートＳＴＣに描かれた漫画キャラクターを見ることとなり、表面シートＳＴＣを破ることによって、それぞれの漫画キャラクターの年老いた姿を見ることとなる。さらに、中間シートＳＴＢを破ることによって、それぞれの漫画キャラクターが滅びた後の墓を見ることになる。このように、シートＳＴ７は、年月の流れに沿ったそれぞれの漫画キャラクターの物語を想像させる。